【事件の表示】
　平成　５年特許願第３４５３１８号「角チップ部品供給装置」拒絶査定に対する審判事件［平成７年７月１４日出願公開、特開平７−１７６８９３］について、次のとおり審決する。
【結　論】
　本件審判の請求は、成り立たない。
【理　由】
１．手続の経緯・本願発明
　本願は、平成５年１２月２０日の出願であって、その請求項１ないし請求項４に係る発明は、平成１３年７月２６日付けの手続補正書により補正された明細書と出願当初の図面の記載からみて、特許請求の範囲の請求項１ないし請求項４に記載された次のとおりのものと認める。
「【請求項１】　角チップ部品を収容して上下動するホッパーと、
　前記ホッパー内の角チップ部品が１個毎に落下する貫通角穴又は角溝を有する部品分離用部材と、
　前記部品分離用部材の貫通角穴又は角溝に接続する円弧状角溝シュートと、該円弧状角溝シュートに接続する直線状角溝シュートとを有していて、一端が前記部品分離用部材の貫通角穴又は角溝に接続し、他端が部品ピックアップ位置に至る整列シュートと、
　前記整列シュート先端側の部品ピックアップ位置に設けられる部品取り出し用開口と、該部品取り出し用開口を開閉するためのシャッターと、前記整列シュート内を空気吸引する空気吸引経路とを備え、
　前記シャッターを閉じた状態で前記整列シュート内の空気吸引を行い、前記シャッターを開いた状態で前記空気吸引経路を遮断することを特徴とする角チップ部品供給装置。
　【請求項２】　前記部品分離用部材に形成された前記角穴又は角溝の上端側開口がテーパー状に広がっているとともに、前記部品分離用部材の上端に向けて肉厚が薄くなるように当該部品分離用部材の上端部外周にテーパーが形成されている請求項１記載の角チップ部品供給装置。
　【請求項３】　前記整列シュートの途中に角チップ部品の整列端を検出するための部品検出センサーを設け、前記整列シュート内の角チップ部品が一定量以上になると前記ホッパーの上下動を停止させる請求項１又は２記載の角チップ部品供給装置。
　【請求項４】　前記直線状角溝シュートは上面に開口した角溝を形成した直線状ベースにシュート蓋を被せたものである請求項１，２又は３記載の角チップ部品供給装置。」
　
２．引用例の記載内容
　これに対して、原査定の拒絶の理由に引用され、本願出願前に頒布された刊行物である特開平１−１８３２００号公報（以下、「引用例」という。）には「チップ部品供給装置」に関し、以下の技術事項が記載されている。
　（イ）「本発明は、チップ部品をプリント基板に装着するためのチップ部品装着機等において使用するチップ部品供給装置に係り、とくにバルク状の（ばら部品の）円筒形チップ部品を整列、供給するのに適したチップ部品供給装置に関する。」（第１頁右下欄第１４行〜第１８行）
　（ロ）「チップ部品を１個毎に分離するための特別な機構は必要としない利点がある。」（第２頁左下欄第１１行〜第１２行）
　（ハ）「中管式ホッパー１３内には多数のバルク状の円筒形チップ部品１５が収容され、」（第２頁右下欄第６行〜第８行）
　（ニ）「連結具２６にはチューブ２５に連通する連結パイプ２７が接続固定され、該連結パイプ２７はホッパー１３の下部供給孔に挿通されている。」（第３頁左上欄第７行〜第９行）
　（ホ）「空気吸引孔４２は、第１図の如くホルダー３１側のフィルタ４４及び空気吸引孔４５、ホース４６、電磁開閉バルブ４７及びホース４８を介して真空ポンプ等の負圧源に接続される。」（第３頁左下欄第１２行〜第１６行）
　（ヘ）「シリンダ５５へ圧縮空気が加えられたときは、そのピストンロッド５９は伸動し、前記スライダ５１及びシャッター取付部材５２を右方向へ駆動する。すなわち、第８図のようにシャッター５３は開き、開口部４１が露出する。シリンダ５５への圧縮空気がオフとなるとピストンロッド５９は縮動し、第７図のようにシャッター５３は開口部４１を閉じる。」（第３頁右下欄第１３行〜第２０行）
　（ト）「ＤＣモーター１９の回転は、カム（又はクランク）機構を介して中管式ホッパー１３に上下運動を行わせる。このため、ホッパー内のバルク状（ばらの）円筒形チップ部品１５はホッパー下部より連結パイプ２７を通って給送チューブ２５の垂直部分を落下し、チューブ水平部分の左端に達する。水平部分では重力によるチップ部品給送作用は無くなる。このため、第７図に示すように、部品ストッパー部材３０の部品取り出し用開口部４１をシャッター５３で密閉し、連結パイプ２７の上端のみが開口している状態とし、これとともに電磁開閉バルブ４７を開いて空気吸引孔４２を真空吸引する。この結果、空気穴１６、ホッパー１３内部、連結パイプ２７、チューブ２５、空気吸引孔４２の経路を通る空気流が発生し、チューブ水平部分内のチップ部品１５は右方向に給送力を受け、最先端のチップ部品１５はストッパピン４３に当接して停止する。すなわち、最先端のチップ部品１５は開口部４１に対応する位置に位置決めされることになる。
　その後、電磁開閉バルブ４７を閉じ、空気吸引孔４２よりの空気吸引を停止すると同時に、電磁開閉バルブ５７を開き、エアーシリンダ５５に圧縮空気を供給し、スライダ５１及びこれに枢支されたシャッター取付部材５２を右方向に移動させる。この結果、第８図のように、開口部４１が開き、装着機側の吸着ピン７０で位置決めされた最先端の円筒形チップ部品１５を吸着、持ち上げることができる。この受け渡し動作の際、空気吸引が停止されていることから、各チップ部品には横方向の給送力は働かず、相互に緩んだ状態であり、吸着ピン７０によるチップ部品１５の取り出しに失敗は無い。」（第４頁右上欄第１１行〜右下欄第３行）
　
　ところで、記載事項（イ）でいう“チップ部品供給装置”が有する利点（記載事項（ロ）を参照）からみて、“連結パイプ２７”は、チップ部品を１個毎に落下させる貫通穴を有していることが認められると共に、第１図の記載からみて、記載事項（ト）でいう“給送チューブ２５の垂直部分”は、円弧状であることが明らかであるから、記載事項（イ）〜（ト）により開示された技術事項及び図面に記載された技術事項によれば、引用例には、以下の発明が記載されていると認められる。
「円筒形チップ部品１５を収容して上下動するホッパー１３と、
　前記ホッパー１３内のチップ部品１５が１個毎に落下する貫通穴を有する連結パイプ２７と、
　前記連結パイプ２７の貫通穴に接続する円弧状部分と、該円弧状部分に接続する水平部分とを有していて、一端が前記連結パイプ２７の貫通穴に接続し、他端が吸着ピン７０に対応する位置に至る給送チューブ２５と、
　前記給送チューブ２５先端側の吸着ピン７０に対応する位置に設けられる部品取り出し用開口部４１と、該部品取り出し用開口部４１を開閉するためのシャッター５３と、前記給送チューブ２５内を空気吸引する空気吸引経路（ホース４８、電磁開閉バルブ４７、ホース４６、空気吸引孔４５、空気吸引孔４２等より構成）とを備え、
　前記シャッター５３を閉じた状態で前記給送チューブ２５内の空気吸引を行い、前記シャッター５３を開いた状態で前記空気吸引経路を電磁開閉バルブ４７により遮断するチップ部品供給装置。」
　
３．対比・当審の判断  
　本願の請求項１に係る発明（以下、「本願発明」という。）と引用例に記載された発明（以下、「引用発明」という。）とを対比するに、引用発明の「連結パイプ２７」は、本願発明の「部品分離用部材（分離整列パイプ５５）」に対応し、以下同様に、「円弧状部分」は「円弧状シュート」に、「水平部分」は「直線状シュート」に、「吸着ピン７０に対応する位置」は「部品ピックアップ位置」に、「給送チューブ２５」は「整列シュート」に、「部品取り出し用開口部４１」は「部品取り出し用開口」に、それぞれ相当し、本願発明の「貫通角穴又は角溝」は択一的な表現であるとともに、「貫通角穴」は上位概念では「貫通穴」と言えるから、両者の一致点と相違点は次のとおりである。
　
＜一致点＞
「チップ部品を収容して上下動するホッパーと、
　前記ホッパー内のチップ部品が１個毎に落下する貫通穴を有する部品分離用部材と、
　前記部品分離用部材の貫通穴に接続する円弧状シュートと、該円弧状シュートに接続する直線状シュートとを有していて、一端が前記部品分離用部材の貫通穴に接続し、他端が部品ピックアップ位置に至る整列シュートと、
　前記整列シュート先端側の部品ピックアップ位置に設けられる部品取り出し用開口と、該部品取り出し用開口を開閉するためのシャッターと、前記整列シュート内を空気吸引する空気吸引経路とを備え、
　前記シャッターを閉じた状態で前記整列シュート内の空気吸引を行い、前記シャッターを開いた状態で前記空気吸引経路を遮断するチップ部品供給装置。」
　
＜相違点＞
　本願発明では、チップ部品を“角チップ部品”に特定する一方、部品分離用部材が有するチップ部品用の貫通穴は、この角チップ部品に合せて“貫通角穴又は角溝”に構成されていると共に、この“貫通角穴又は角溝”に接続する“円弧状シュート”、及び、この“円弧状シュート”に接続する“直線状シュート”の形状も同様に、この角チップ部品に合せて“角溝”に構成されているのに対し、
　引用発明では、チップ部品を“円筒形チップ部品”に特定している関係上、部品分離用部材（連結パイプ２７）の貫通穴、整列シュート（給送チューブ２５）の円弧状シュート（円弧状部分）と直線状シュート（水平部分）の部品給送路の形状は、本願発明のような“角溝”の形状とは認め難く、連結パイプ２７、給送チューブ２５というように、むしろ、円筒形チップ部品に適応させた円管状に構成しているものと認められる点。
　
　そこで、この相違点について以下に検討する。
　引用発明においても、部品分離用部材（連結パイプ２７）は、チップ部品が１個毎に落下し得る貫通穴を有すると共に、当該貫通穴の形状は、円管状であるとはいえ、チップ部品の形状に適応するように形成されていることが認められ、更に、この貫通穴に連なる整列シュート（給送チューブ２５）の部品給送路の形状も、同じく、チップ部材の形状に適応するように形成されていることが認められる点で、本願発明と本質的に変わるところがない。
　そして、プリント基板に装着するチップ部品として“角チップ部品”を用いること自体は、例示するまでもなく、従来、ごく普通に知られている事項であるし、その上、チップ部品の整列・供給用の給送路の形状を、チップ部材の形状に適応させることも従来周知の技術であって（例えば、特開平３−２９５３００号公報（第３頁左下欄第４行〜第１１行）には、収納路（給送路）を電子部品の形状と略相似形の凹溝（角溝）に形成することによって電子部品の形状に合せることが記載されている。）、本願発明のように、チップ部品を角チップ部品に特定して、角チップ部品用の貫通穴を有する部品分離用部材の当該貫通穴の形状、及び、これに連なる整列シュートの円弧状シュート、直線状シュートの形状等を、角チップ部品の形状に合わせて角穴又は角溝形状に形成することは、当業者であれば、格別の創意を要することなく、容易に想到することができたものである。
　また、本願明細書の特許請求の範囲の請求項１に記載された構成により得られる効果も、引用発明から当業者であれば予測できる程度のものであって、格別なものとはいえない。
　
４．むすび
　したがって、本願発明は、引用発明及び従来周知の技術に基いて当業者が容易に発明をすることができたものであり、特許法第２９条第２項の規定により特許を受けることができないから、本願の他の請求項に係る発明について検討するまでもなく、本願は拒絶すべきものである。
　よって、結論のとおり審決する。